(57)【要約】  除毛装置で使用する皮膚係合部材であって、皮膚係合部材は、皮膚接触面を有する担体であって、皮膚接触面が少なくとも１つの開口部を形成する、担体と、は担体と解除可能に係合する潤滑材料であって、少なくとも１つの開口部が、潤滑材料の少なくとも一部を曝す、潤滑材料と、を備え、潤滑材料は、ポリエチレンオキシドとポリプロピレンオキシドとのコポリマーを含む。
2016522706.tif 000002
【特許請求の範囲】
【請求項１】
除毛装置に使用するための皮膚係合部材（３００）であって、
ａ．皮膚接触面を有する担体（３１０）であって、前記皮膚接触面が少なくとも１つの開口部（３２０）を形成する、担体と、
ｂ．前記担体と解除可能に係合する潤滑材料（３３０）であって、前記少なくとも１つの開口部が前記潤滑材料の少なくとも一部を曝す、潤滑材料と、を備え、
前記潤滑材料が、ポリエチレンオキシドとポリプロピレンオキシドとのコポリマーを含む、皮膚係合部材。
【請求項２】
前記ポリエチレンオキシドとポリプロピレンオキシドとのコポリマーが、ブロックコポリマーであって、好ましくは、トリブロックコポリマーであって、より好ましくは、ポリエチレンオキシド−ポリプロピレンオキシド−ポリエチレンオキシドのシーケンスを有するトリブロックコポリマーである、請求項１に記載の皮膚係合部材。
【請求項３】
前記ポリエチレンオキシドとポリプロピレンオキシドとのコポリマーが、少なくとも５０００の平均分子量、好ましくは、１０，０００〜２０，０００の範囲の平均分子量、より好ましくは、１１，０００〜１５，０００の平均分子量、そして更により好ましくは、１２，０００〜１３，０００の平均分子量を有する、請求項１または２に記載の皮膚係合部材。
【請求項４】
前記ポリエチレンオキシドとポリプロピレンオキシドとのコポリマー内での、ポリプロピレンオキシドに対するポリエチレンオキシドの比が、前記コポリマーブロックの分子量比で、１０：１〜１：１０、好ましくは、１：１〜１：７、より好ましくは、１：２〜１：５、更により好ましくは、１：２．５〜１：４、そしてなお更により好ましくは、１：２．５〜１：３の範囲内である、請求項１〜３のいずれか一項に記載の皮膚係合部材。
【請求項５】
前記ポリエチレンオキシドとポリプロピレンオキシドとのコポリマーが、前記潤滑材料の０．０１重量％〜５０重量％、好ましくは、２重量％〜４０重量％、より好ましくは、３重量％〜２５重量％、更により好ましくは、４重量％〜２０重量％、そしてなお更により好ましくは、５重量％〜１０重量％の量で存在する、請求項１〜４のいずれか一項に記載の皮膚係合部材。
【請求項６】
前記潤滑材料が、水溶性ポリマーを更に含む、請求項１〜５のいずれか一項に記載の皮膚係合部材。
【請求項７】
前記水溶性ポリマーが、ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、及びこれらの混合物から選択される、請求項６に記載の皮膚係合部材。
【請求項８】
前記水溶性ポリマーが、ポリエチレンオキシドである、請求項７に記載の皮膚係合部材。
【請求項９】
前記水溶性ポリマーが、少なくとも５，０００の平均分子量、好ましくは、少なくとも２０，０００の平均分子量、より好ましくは、少なくとも５０，０００の平均分子量、更により好ましくは、少なくとも１００，０００の平均分子量、なお更により好ましくは、１００，０００〜６００万の平均分子量、そして更により好ましくは、３００，０００〜５００万の平均分子量を有する、請求項６〜８のいずれか一項に記載の皮膚係合部材。
【請求項１０】
前記水溶性ポリマーが、前記潤滑材料の少なくとも５０重量％、好ましくは、５０重量％〜９９．９重量％、より好ましくは、６０重量％〜９５重量％、そして更により好ましくは、７０重量％〜９０重量％の濃度で存在する、請求項６〜９のいずれか一項に記載の皮膚係合部材。
【請求項１１】
前記担体が、前記担体の少なくとも約３５重量％の濃度の非水溶性ポリマーを含み、好ましくは、前記非水溶性ポリマーが、ポリエチレン、ポリプロピレン、ポリスチレン、高耐衝撃性ポリスチレン、ブタジエンスチレンコポリマー、ポリアセタール、アクリロニトリル−ブタジエンスチレンコポリマー、エチレンビニルアセテートコポリマー、及びこれらの混合物のうちの少なくとも１つを含む、請求項１〜１０のいずれか一項に記載の皮膚係合部材。
【請求項１２】
前記潤滑材料が、非水溶性ポリマーを更に含み、好ましくは、前記非水溶性ポリマーが、ポリエチレン、ポリプロピレン、ポリスチレン、高耐衝撃性ポリスチレン、ブタジエンスチレンコポリマー、ポリアセタール、アクリロニトリル−ブタジエンスチレンコポリマー、エチレン酢酸ビニルコポリマー、及びこれらの混合物から選択される、請求項１〜１１のいずれか一項に記載の皮膚係合部材。
【請求項１３】
前記非水溶性ポリマーが、前記潤滑材料の０．０１重量％〜５０重量％、好ましくは、０．１重量％〜３０重量％、より好ましくは、０．５重量％〜２０重量％、そして更により好ましくは、１重量％〜１０重量％の濃度で存在する、請求項１２に記載の皮膚係合部材。
【請求項１４】
第１の末端部（７１０）と反対側の第２の末端部（７２０）とを含む除毛カートリッジ（７００）であって、
ａ．前記第１の末端部と前記第２の末端部との間に位置する少なくとも１つの除毛部材（４００）と、
ｂ．請求項１〜１３のいずれか一項による、少なくとも１つの皮膚係合部材と、を備える、除毛カートリッジ。
【請求項１５】
除毛装置（１００）であって、
ａ．請求項１４による除毛カートリッジ（７００）と、
ｂ．前記除毛カートリッジに永久的に、又は着脱可能に取り付けられるハンドル（２００）と、を備える、除毛装置。
【発明の詳細な説明】
【技術分野】
【０００１】
本発明は、皮膚係合部材に関し、特に除毛カートリッジ若しくは除毛装置に対して使用する皮膚係合部材、及びカートリッジまたは装置自体に関する。
【背景技術】
【０００２】
剃毛の間に潤滑効果を提供するために剃刀のブレードに剃毛補助剤を使用することは、既知である。例えば、米国特許第７，１２１，７５４号、同第６，２９８，５５８号、同第５，７１１，０７６号、同第５，１３４，７７５号、同第６，３０１，７８５号、及び米国特許公開第２００９／０２２３０５７号、同第２００６／０２２５２８５号を参照のこと。かかる剃毛補助剤は、典型的には、構造的な完全性を提供する、非水溶性のマトリクス材料と、剃毛の間に水の存在下で水溶性のポリマーが溶液中に入ると剃毛の間に潤滑を提供する、ポリエチレンオキシド（Polyox）などの水溶性のポリマーと、を含む。しかしながら最近、剃毛補助剤（特に、例えばＰｏｌｙｏｘ）をその中に保持する容器を備えた皮膚係合部材の形態のいくつかの剃毛補助剤が、生産されている。例えば、米国特許出願公開第２０１１／００９９８１５号、並びにＰＣＴ特許公開第２０１１／０４７２２１号、同第２０１１／０４７２２２号、同第２０１１／０４９８９２号、及び同第２０１１／０５０１３０号を参照のこと。剃毛潤滑剤としてのＰｏｌｙｏｘの適用は、現状ではあまり開発がなされていないが、Ｐｏｌｙｏｘの適用に制限がないわけではない。例えば、低分子量のＰｏｌｙｏｘは、限られた潤滑しか提供しないが、一方で、より分子量が高いＰｏｌｙｏｘを使用する場合、潤滑の改善が見られる場合があり、これは典型的には使用する際に形成される水溶液の他の態様にも影響を与え、例えば、結果として得られる水溶液の粘度が増加する場合もあり、良くない知覚特性に繋がる場合があり、例えば、特に潤滑剤に関して、ユーザーにとっての剃毛の感触が懸念される。したがって、理想的には消費者の知覚に悪影響を与えずに、潤滑効果の改善を提供するために、このパラダイムを打ち破ることができる技術に対する必要性が今も存在する。
【先行技術文献】
【特許文献】
【０００３】
【特許文献１】米国特許第７，１２１，７５４号
【特許文献２】米国特許第６，２９８，５５８号
【特許文献３】米国特許第５，７１１，０７６号
【特許文献４】米国特許第５，１３４，７７５号
【特許文献５】米国特許第６，３０１，７８５号
【特許文献６】米国特許公開第２００９／０２２３０５７号
【特許文献７】米国特許公開第２００６／０２２５２８５号
【発明の概要】
【課題を解決するための手段】
【０００４】
第１の態様により、除毛装置に使用する皮膚係合部材が提供され、前記皮膚係合部材は、皮膚接触面を有する担体を備え、前記皮膚接触面は、少なくとも１つの開口部を形成し、かつ潤滑材料を前記担体と解除可能に係合し、前記少なくとも１つの開口部は、前記潤滑材料の少なくとも一部を曝し、潤滑材料は、ポリエチレンオキシドとポリプロピレンオキシドとのコポリマーを含む。
【０００５】
第２の態様により、第１の末端部と反対側の第２の末端部とを有する除毛カートリッジが提供され、除毛カートリッジは、前記第１の末端部と前記第２の末端部との間に位置する少なくとも１つの除毛部材と、第１の態様による少なくとも１つの皮膚係合部材と、を備える。
【０００６】
第３の態様により、除毛装置が提供され、除毛装置は、第２の態様による除毛カートリッジと、除毛カートリッジに永久的に、または着脱可能に取り付けられるハンドルと、を備える。
【図面の簡単な説明】
【０００７】
【図１】本発明による除毛装置の側面図である。
【図２】本発明による追加的な除毛カートリッジの断面側面図である。
【図３】本発明による追加的な除毛カートリッジの断面側面図である。
【図４】本発明による様々な除毛カートリッジの上面平面図である。
【図５】本発明による様々な除毛カートリッジの上面平面図である。
【図６】本発明による様々な除毛カートリッジの上面平面図である。
【図７】本発明による様々な除毛カートリッジの上面平面図である。
【図８】本発明による様々な除毛カートリッジの上面平面図である。
【図９】本発明による様々な除毛カートリッジの上面平面図である。
【図１０】本発明による様々な他の皮膚係合部材の側面断面図である。
【図１１】本発明による様々な他の皮膚係合部材の側面断面図である。
【図１２】本発明による様々な他の皮膚係合部材の側面断面図である。
【図１３ａ】本発明による様々な他の皮膚係合部材の側面断面図である。
【図１３ｂ】本発明による様々な他の皮膚係合部材の側面断面図である。
【図１４ａ】本発明による様々な他の皮膚係合部材の側面断面図である。
【図１４ｂ】本発明による様々な他の皮膚係合部材の側面断面図である。
【図１５ａ】本発明による様々な他の皮膚係合部材の側面断面図である。
【図１５ｂ】本発明による様々な他の皮膚係合部材の側面断面図である。
【発明を実施するための形態】
【０００８】
本発明の皮膚係合部材は、典型的には、除毛プロセスの間に送達するために様々な潤滑材料を除毛装置上に充填することができるようにする。本発明による任意の除毛装置上の皮膚係合部材及びその場所の詳細は、本発明の様々な要素を含むことができる例示の実施形態を示す図を用いて本明細書に開示される。明細書に記載され、図に開示される要素の様々な組み合わせを、本発明に従って使用することができることを、当業者は理解するであろう。この皮膚係合部材は、剃毛などの除毛プロセスの間に使用するために好適なものになることが意図され、したがって潤滑材料（複数可）は、パーソナルケアにおける局所適用のために一般的に使用される様々な既知の組成物を含むことができる。
【０００９】
皮膚係合部材（剃毛補助部材または皮膚係合剃毛補助部材とも称される）は、潤滑剤または潤滑材料を含む。潤滑材料は、様々な形とすることができるだけでなく、以下に詳細に記載するように、それらの混合物／組み合わせとすることもできる。
【００１０】
Ｉ．ポリエチレンオキシドとポリプロピレンオキシドとのコポリマー
潤滑材料は、皮膚係合部材の潤滑特性を改善するために、ポリエチレンオキシド（ＰＥＯ）とポリプロピレンオキシド（ＰＰＯ）とのコポリマーを更に含む。このＰＥＯ／ＰＰＯコポリマーは、任意の平均分子量を有する場合がある。有利には、ＰＥＯ／ＰＰＯコポリマーは、少なくとも５，０００、好ましくは１０，０００〜２０，０００の範囲、より好ましくは１１，０００〜１５，０００、更により好ましくは１２，０００〜１３，０００、そしてなお更により好ましくは１２，２５０〜１２，７５０の平均分子量を有する。理論に束縛されるものではないが、十分な分子量のＰＥＯ／ＰＰＯコポリマーの含有は、水性条件下での皮膚係合部材の潤滑特性を、特に更なる水溶性ポリマー（特にポリエチレンオキシド）との組合せで更に改善し、ひいては使用する際の望ましくない感覚を防ぐと考えられる。
【００１１】
ＰＥＯ／ＰＰＯコポリマーは、任意の配列としてもよいが、例えば、ジブロックコポリマー、トリブロックコポリマー、マルチブロックコポリマー、ラジアルブロックコポリマー、またはランダムブロックコポリマーなどの、ブロックコポリマーとするのが有利である。好ましくは、ＰＥＯ／ＰＰＯコポリマーは、トリブロックコポリマー、より好ましくは、ＰＥＯ−ＰＰＯ−ＰＥＯのシーケンスを有するトリブロックコポリマーである。ＰＥＯとＰＰＯとのかかるトリブロックコポリマーは、ＢＡＳＦからＰｌｕｒａｃａｒｅという商品名で、及びＳｉｇｍａ−ＡｌｄｒｉｃｈからＰｌｕｒｏｎｉｃという商品名で市販されている。
【００１２】
ＰＥＯ／ＰＰＯコポリマーは、例えば、１０００：１〜１：１０００、または１００：１〜１：１００の範囲のＰＥＯ対ＰＰＯの（すなわち、エチレンオキシド繰り返し単位対プロピレンオキシド繰り返し単位の）任意の重量比を有する場合がある。有利には、重量比は水溶性のポリマー（特にポリエチレンオキシド）と水を含む系内でのＰＥＯ／ＰＰＯコポリマーの溶解性特性を改善するように選択され、１０：１〜１：１０、好ましくは、１：１〜１：７（または、ＰＰＯの重量がＰＥＯの重量と等しいか、若しくはそれ以上である任意の比）、より好ましくは、１：２〜１：５、更により好ましくは、１：２．５〜１：４、そしてなお更により好ましくは、１：２．５〜１：３である場合がある。
【００１３】
ＰＥＯ／ＰＰＯコポリマーの溶解性特性を記載する代替的な方法は、周知の親水性親油性バランス（ＨＬＢ）による。ＰＥＯ／ＰＰＯコポリマーは、０〜５０のＨＬＢを有する場合があるが、有利には１〜３０、好ましくは、５〜２５、より好ましくは、１０〜２５、更により好ましくは、１７〜２４、そしてまた更により好ましくは、１８〜２３の範囲のＨＬＢを有すことになる。
【００１４】
ＰＥＯ／ＰＰＯコポリマーは、典型的には、潤滑材料の、または皮膚係合部材の０．０１重量％〜５０重量％の量で存在する。好ましくは、ＰＥＯ／ＰＰＯコポリマーは、水溶性ポリマーに関連するさらなる問題に対処するために、潤滑を提供する任意の更なる水溶性ポリマーとＰＥＯ／ＰＰＯコポリマーとの間のバランスの改善を提供するように、潤滑材料の、または皮膚係合部材の０．０１重量％〜５０重量％、好ましくは、２重量％〜４０重量％、より好ましくは、３重量％〜２５重量％、更により好ましくは、４重量％〜２０重量％、そしてまた更により好ましくは、５重量％〜１０重量％の量で存在する。潤滑材料の残部は、全体的に他の水溶性ポリマー（複数可）（例えば、部分的に、または全体的にポリエチレンオキシド）、または更なる成分の混合物であってもよい。
【００１５】
ＩＩ．水溶性ポリマー
潤滑材料は、典型的には、使用する際に潤滑を提供することを意図して、水溶性ポリマーを更に含む場合もある。
【００１６】
水溶性ポリマーの例としては、ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、及びこれらの混合物が挙げられる。いくつかの実施形態では、上記水溶性ポリマーは、ポリエチレンオキシド、ポリエチレングリコール、及びこれらの混合物からなる群から選択される。
【００１７】
水溶性ポリマーは、好ましくは、皮膚係合部材の少なくとも約５０重量％、より好ましくは少なくとも約６０重量％、最大約９９％（または潤滑材料の最大約９０％）を構成することになる。例えば、水溶性ポリマーは、潤滑材料の、少なくとも約５０重量％、好ましくは約５０重量％〜約９９．９重量％、より好ましくは約６０重量％〜約９５重量％（例えば、約９０重量％〜約９５重量％）、及び更により好ましくは約７０重量％〜約９０重量％の量で存在する場合がある。すべての水溶性のポリマーが平均分子量の要件を満たす必要はなく、例えば、すべてではないが、少なくとも１つのポリエチレンオキシドのグレードが、平均分子量特性を満足するが、ポリエチレンオキシドの総量が上記の範囲の１つの中にある、２つ以上のグレードのポリエチレンオキシドのブレンドを使用することができる。代替的には、水溶性のポリマー（特にポリエチレンオキシド）全体の平均分子量は、所望の平均分子量の範囲内に含まれる場合があり、並びに水溶性のポリマー（特にポリエチレンオキシド）の総量は、上記の範囲の１つ以上に従う。
【００１８】
より好ましい水溶性ポリマーは、ＰＯＬＹＯＸ（Ｕｎｉｏｎ  Ｃａｒｂｉｄｅ  Ｃｏｒｐｏｒａｔｉｏｎから入手可能）またはＡＬＫＯＸ（明成化学工業株式会社（日本、京都）から入手可能）として一般的に既知のポリエチレンオキシドである。水溶性ポリマー（特にこれらのポリエチレンオキシド）は、好ましくは、少なくとも約５，０００、少なくとも約２０，０００、少なくとも約５０，０００、少なくとも約１００，０００、または約１００，０００〜６００万、好ましくは約３００，０００〜５００万の平均分子量を有する。特に好ましいポリエチレンオキシドは、約４０％〜８０％の約５００万の平均分子量を有するポリエチレンオキシド（例えば、ＰＯＬＹＯＸ  ＣＯＡＧＵＬＡＮＴ）と、約６０％〜２０％の約３００，０００の平均分子量を有するポリエチレンオキシド（例えば、ＰＯＬＹＯＸ  ＷＳＲ−Ｎ−７５０）とのブレンドを含む。また、ポリエチレンオキシドブレンドは、有利にも、最大約１０重量％のＰＥＧ−１００などの低分子量（即ち、分子量＜１０，０００）ポリエチレングリコールも含有する場合がある。
【００１９】
ＩＩＩ．非水溶性ポリマー
潤滑材料は、例えば、潤滑材料の他の構成成分がその中に分散され、非水溶性のマトリクスと称される場合があり、溶融しているとき、例えば、潤滑材料を担体内に成形する場合に、潤滑材料の流れを改善する補助となる場合がある、非水溶性ポリマーを更に有することができる。望ましくは、非水溶性ポリマーは、潤滑材料の約０．０１重量％〜約５０重量％、好ましくは約０．１重量％〜約３０重量％、より好ましくは約０．５重量％〜約２０重量％、更に好ましくは約１重量％〜約１０重量％の濃度で存在する場合がある。
【００２０】
使用することができる好適な非水溶性ポリマーとしては、ポリエチレン（ＰＥ）、ポリプロピレン、ポリスチレン（ＰＳ）、ブタジエン−スチレンコポリマー（例えば、中及び高耐衝撃性ポリスチレン）、ポリアセタール、アクリロニトリル−ブタジエン−スチレンコポリマー、エチレン酢酸ビニルコポリマー、ポリウレタン、並びにこれらのブレンド（ポリプロピレン／ポリスチレンのブレンド、またはポリスチレン／耐衝撃性ポリスチレンのブレンドなど）が挙げられる。
【００２１】
１つの好ましい非水溶性ポリマーは、ポリスチレン、好ましくはＮＯＶＡ  Ｃ２３４５Ａなどの汎用ポリスチレン、またはＢＡＳＦ  ４９５Ｆ  ＫＧ２１などの高耐衝撃性ポリスチレン（ＨＩＰＳ）（すなわち、ポリスチレン−ブタジエン）である。潤滑材料またはその任意の部分は、生産中及び使用中の双方において、追加的な機械的強度を提供するために、十分な量の非水溶性ポリマーを含有する場合がある。
【００２２】
ＩＶ．更なる任意成分
いくつかの実施形態では、潤滑材料は、Ｇｉｌｌｅｔｔｅ、Ｓｃｈｉｃｋ、またはＢＩＣによる剃刀カートリッジに使用されているものなどの、市販の剃毛補助部材または皮膚係合部材に一般的に見出される任意の他の成分を含む。かかる皮膚係合部材の非限定的な例としては、米国特許第６３０１７８５号、同第６４４２８３９号、同第６２９８５５８号、同第６３０２７８５号、及び米国特許出願公開第２００８／０６０２０１号、及び同第２００９／０２２３０５７号に開示されているものが挙げられる。
【００２３】
したがって、皮膚係合部材または潤滑材料は、低分子量の水溶性離形性向上剤（ポリエチレングリコール（分子量＜１０，０００、例えば、１〜１０重量％  ＰＥＧ−１００）など）、水膨潤性離形性向上剤（架橋ポリアクリル系のもの（例えば、２〜７重量％）など）、着色剤、スキンケア活性剤、界面活性剤、石鹸（インタラプテッドソープ（interrupted soap）を含む）、抗酸化剤、防腐剤、皮膚軟化剤、脂質、オイル、ワックス、脂肪、冷却剤（特に、不揮発性冷却剤）、精油、顎鬚軟化剤、収斂剤、薬剤、可塑剤、追加の潤滑剤、脱毛剤／角質溶解物質、粘着付与剤、皮膚鎮静剤、香料、相溶化剤、抗炎症剤、抗掻痒／反対刺激物質などの他の従来の剃毛補助剤成分を含む場合がある。
【００２４】
着色剤を含有する部分を、着色剤を（例えば、浸出または摩耗によって）放出するように設計することができ、それによって剃毛の間に、好ましくは着色部分の摩耗に反応して、皮膚係合部材（またはその一部）を変色させるようにして、皮膚係合部材及び／または除毛カートリッジ（例えば、剃刀カートリッジ）が有効期間または最適性能の終了に達したことの指標をユーザーに提供する。その部分は、例えば、約０．１重量％〜約５．０重量％（好ましくは約０．５重量％〜３重量％）の着色剤を含有してもよい。
【００２５】
いくつかの実施形態では、潤滑材料は、約０．５％〜約５０％、好ましくは約１％〜約２０％のポリカプロラクトン（好ましくは分子量が３０，０００〜６０，０００）を更に含む。米国特許第６，３０２，７８５号を参照のこと。
【００２６】
いくつかの実施形態では、皮膚係合部材は、例えば、ポリビニルピロリドン、ポリアクリルアミド、ヒドロキシプロピルセルロース、ポリビニルイミダゾリン、ポリエチレングリコール、ポリビニルアルコール、ポリヒドロキシエチルメタクリレート、シリコーンコポリマー、スクロースステアレート、ビタミンＥ、パンテノール、アロエ、ポリエチレングリコール、シリコーンオイル、Ｔｅｆｌｏｎ（登録商標）ポリテトラフルオロエチレン粉末（ＤｕＰｏｎｔ製）、メントール、樟脳、オイゲノール、ユーカリプトール、サフロール、及びメチルサリシレート、粘着付与剤（Ｈｅｒｃｕｌｅｓ  Ｒｅｇａｌｒｅｚ  １０９４及び１１２６など）、シクロデキストリン、不揮発性冷感剤、皮膚鎮静剤のシクロデキストリンとの包接錯体、抗菌／角質溶解物質（レゾルシノールなど）、抗炎症剤（キャンデリラワックス及びグリシルレチン酸など）、収斂剤（硫酸亜鉛など）、界面活性剤（イコノール（iconol）材料など）、相溶化剤（スチレン−ｂ−ＥＯコポリマーなど）、鉱物油、ポリカプロラクトン（ＰＣＬ）、並びにこれらの組み合わせからなる群から選択される、別の剃毛補助成分を更に含む。
【００２７】
Ｖ．皮膚係合部材
皮膚係合部材は、潤滑材料を使用の間に皮膚上に分配するために少なくとも１つの開口部を形成し、例えば、皮膚係合部材は、少なくとも１つの開口部がその中に形成された担体を備える場合がある。かかる場合、担体は、典型的には潤滑材料を受容するための受容領域を有することになる。
【００２８】
開口部は、任意の形状であってもよく、例えば、約０．３〜約１６１平方ミリメートル（約０．０００５〜約０．２５平方インチ）の断面積を有してもよい。小さな開口部は、約３〜約３２平方ミリメートル（約０．００５〜約０．０５平方インチ）、または約６〜約１６平方ミリメートル（約０．０１〜０．０２５平方インチ）の断面積を備える可能性もある。より大きい開口部は、約３２〜約１６１平方ミリメートル（約０．０５〜約０．２５平方インチ）、または約６５〜約１２９平方ミリメートル（約０．１〜約０．２平方インチ）の断面領域を有することができる。所望の分配率及び潤滑材料を水に暴露する量に応じて、小さな開口部と大きな開口部との組み合わせを、同じ皮膚係合部材上に、または同じカートリッジ上の別個の皮膚係合部材上に提供することもできる。
【００２９】
皮膚係合部材は、典型的には、表面積を有する皮膚係合表面を有することになり、一方で、少なくとも１つの開口部（すなわち、複数の開口部が存在する場合、すべての開口部の合計）は、断面積を有し、表面積と断面積が、約５０：１〜約１：１、約２５：１〜約２：１、または約１０：１〜約３：１の比である。個々の開口部は、使用される開口部の数に応じて変化する最大横方向距離も有する場合があり、例えば、除毛カートリッジ、または任意の除毛部材の露出される長さに対応する皮膚係合部材の部分の最大横方向距離の約１％〜約９９％、または約２％〜約９５％、または約３％〜約９０％、または約５％〜約８０％、または約１０％〜約７５％、または約１５％〜約５０％である。好適な担体の例としては、米国特許第６，２９８，５５８号または同第７，５８１，３１８号に開示されるシースが挙げられる。１つ以上の開口部は、皮膚係合部材のある区域若しくは長さ、またはいずれかの除毛部材の露出される長さ、すなわち、除毛のために利用可能な、例えば、クリップで覆われない長さ、に対応する皮膚係合部材の部分を、実質的に若しくは完全に対象とするように配設される場合がある。例えば、複数の開口部は、潤滑材料を剃毛される区域にわたって提供できるように、任意の除毛部材の露出長さ、または除毛カートリッジの最大横方向距離の長さに実質的にまたは完全に及ぶ配列状に配設される場合がある。代替的に、１つ以上の開口部は、皮膚係合部材のある区域若しくは長さ、またはいずれかの除毛部材の露出される長さに対応する皮膚係合部材の部分を対象とするように、上記の個々の開口部に対して記載されるいずれかの百分率範囲または値にしたがって配設される場合がある。
【００３０】
いくつかの実施形態では、皮膚係合部材の少なくとも一部は真っ直ぐではなく、例えば、前記皮膚係合部材の真っ直ぐでない部分は、角度付きまたは曲線状とすることができる。本明細書で定義される場合、曲線状とは、構造の少なくとも一部が直線を形成せずに湾曲していることを意味する。少なくとも２つの皮膚係合部材が提供される場合、これらは、互いに対して直線を形成しないように位置することもできる。１つの配向では、図５に示すように、これらは相互に対して平行とすることができる。別の配向では、図９に示すように、それぞれの皮膚係合部材は、直線を形成しない部分を含む。
【００３１】
いくつかの実施形態では、皮膚係合部材の曲線状のまたは角度の付いた特質は、少なくとも部分的なリングを形成するようになる。本明細書で定義される場合、部分的なリングとは、構造が、内部領域を形成する凹部である、少なくとも２つの湾曲した、または角度の付いた区分を有することを意味する。部分的なリングは、内部領域に対して凸状に位置する、湾曲した、または角度の付いた部分も含むことができる。皮膚係合部材の１つ以上は、相互に対して完全なリングを形成するように位置する場合もある。リングは、単一の皮膚係合部材によって形成することができるが、かかるリングを形成するために、２つ以上の皮膚係合部材がその終端部で若しくは終端部の付近で接触するか、またはさらには重なることができる。
【００３２】
皮膚係合部材（またはその担体）は、少なくとも１つの細長い刃の複数の縁部の周囲に角を形成するとき、滑らかな曲線区分を有することができ、または、例えば、溶融結合または接着剤を介して互いに付着される鋭い縁部を形成することができる。担体の非線状区分（湾曲した、角のある、部分的にねじれた、等々）が必要とされる場合、潤滑材料を、担体（同時に形成される）と一体で形成することができ、またはこれらを別々に形成し、後で潤滑材料を担体の中に移動することができる。皮膚係合部材は、当初は直線的な物品として形成される担体及び潤滑材料を備える場合があり、皮膚係合部材が硬化してその形態をとる前に何らかの非直線的な変形が生じる。担体（例えば、その中に潤滑材料を含まない）が形成され、次いで非直線的な変形が生成される場合もあり、または非線形部分を有して担体を成形若しくは押出成形することができる。次いで潤滑材料を、例えば、担体の受容領域内に追加することができる。皮膚係合部材を作製するためのこれら及び他の方法もまた可能であり、以下に記載される。
【００３３】
皮膚係合部材の担体、すなわち、潤滑材料を有しない皮膚係合部材の物理的構造体を、様々な材料から形成することができる。例えば、担体は、通常使用の間に劣化若しくは溶解しないように水溶性ではない場合があり、または潤滑材料の放出を増加させることができるように部分的に水溶性とすることができる。部分的に水溶性の担体は、好ましくは潤滑材料より可溶性が低く、好ましくはよりゆっくりと摩耗する。一実施形態では、担体を、上述したように、剃毛補助剤または潤滑ストリップ材料から作製することができる。理論に束縛されるものではないが、潤滑材料より更にゆっくりと溶解及び／または摩耗する担体を有することは、経時的に、その中に収容される潤滑材料の暴露を増加できるようにすると考えられる。経時的な潤滑材料の暴露の増加は、摩耗し始めているにも関わらず、潤滑材料の放出を維持及び／または増加できるようにする。これは、潤滑材料が担体内に収容される場合に特に望ましい可能性がある。
【００３４】
担体は、典型的には十分な機械的強度及び剛性を有し、最初に生成されたままでも、大量の水溶性材料が皮膚係合部材から外に浸出した後でもどちらでも、皮膚係合部材全体に適切な機械的強度を提供し、あるいは更なる強化部材を利用することができる。いくつかの実施形態では、担体は、基部及び１つ以上の側壁を備え、その上にまたは中に潤滑材料が配置される受容領域またはチャネルを形成する。担体は、基部から離れるように延在する受容領域内に１つ以上の保持部材も形成する場合がある。保持部材は、細長い場合もあり、担体の長さの、少なくとも約２０％〜約１００％、約３５％〜約７５％、または約５０％にわたって伸長する。複数の保持部材は、例えば、受容領域を通して直線的または非直線的な配列で使用される場合もあり、等距離で離間されるようにも、等距離で離間しないようにもすることができる。保持部材（複数可）は、約０．０５ｃｍ〜約１ｃｍ、または約０．１ｃｍ〜約０．５ｃｍの高さを有する場合がある。換言すれば、保持部材のうちの１つ以上（例えば、すべて）は、前記側壁のうちの少なくとも１つの高さの約１０％〜約１００％、または約３０％〜約６０％の高さを有する場合がある。
【００３５】
側壁は、（担体の基部から離れる方向に測定して）同じ高さであっても、そうでなくてもよい。側壁のうちの少なくとも１つは、約０．１ｃｍ〜約１ｃｍ、好ましくは約０．２ｃｍ〜約０．４ｃｍの高さを有することができる。側壁の対を、壁が基部から離れる方向に延在するにしたがい、互いから離れるように付勢することができ、または互いに向かうように付勢することができる。担体の一端部または両端部を、例えば、米国特許第７，５８１，３１８号に記載されるように、取り囲むことができる。
【００３６】
担体は、非水溶性ポリマー、特に熱可塑性樹脂から作製される場合がある。熱可塑性樹脂は、ある形状に押出成形または成形することができ、水、さらには通常の家庭用温水温度（例えば、最高１２５℃）との接触、使用中の消費者による通常の摩損及び破損、装置組立、並びに配送等の通常の環境条件下で、弾力性がある材料である。担体で使用するために好適な熱可塑性樹脂としては、ポリスチレン、高耐衝撃性ポリスチレン（ポリスチレンブタジエン）、ポリプロピレン、充填ポリプロピレン、ポリエチレン、ナイロンエチレン酢酸ビニル、及び７０％ナイロン／３０％ポリエチレンオキシド、６０％ポリスチレン／４０％ポリエチレンオキシドブタジエンスチレンコポリマーなどのブレンド、ポリアセタール、アクリロニトリル−ブタジエンスチレンコポリマー、及びこれらの混合物が挙げられる。好ましい樹脂は、耐衝撃性ポリスチレン、ポリスチレン、エチレン酢酸ビニル（ＥＶＡ）、及びこれらの混合物である。
【００３７】
例えば、担体の少なくとも約３５重量％、少なくとも約５０重量％、少なくとも約６０重量％、少なくとも約７０重量％、少なくとも約８０重量％、少なくとも約９０重量％、少なくとも約９５重量％、少なくとも約９９重量％、または１００重量％は、非水溶性のポリマーであってもよく、または熱可塑性樹脂であってもよく、または上記の段落のいずれかのポリマーであってもよい。
【００３８】
担体は、上述のように、剃毛補助剤成分で作製されてもよい。これは、担体が装置及び／または皮膚係合部材の耐用年数の全体にわたって摩耗可能及び／または溶解可能であることが意図される場合、特に有用である可能性がある。更に、剃毛補助剤組成物から作製される担体を提供することにより、皮膚係合部材の両方の部品は、使用の間に除毛効果を提供する。
【００３９】
担体を、例えば、以下に記載される追加的な潤滑材料と同様の、水溶性ポリマー及び非水溶性ポリマーの混合物などの固体ポリマー組成物で作製することもできる。理論に束縛されるものではないが、これは、皮膚係合部材全体が浸食性であるかまたは少なくとも部分的に水溶性であることが望ましい場合に、特に望ましい可能性がある。一実施形態では、非水溶性ポリマーは、担体の少なくとも約３５重量％、少なくとも５０重量％、少なくとも約７５重量％、または少なくとも約９０重量％の濃度で存在する。水溶性ポリマーは、残部として存在することができる。所望により、担体は、潤滑剤または可塑剤などの添加剤、ＣａＣＯ３などの充填剤、及びＴｉＯ２などの着色剤を含むことができる。
【００４０】
例えば、担体及び潤滑材料が異種の着色された材料で作製されるとき（例えば、白色のシースと、青色のコア）、皮膚係合部材内で摩耗指標効果が生じる場合がある。潤滑材料は、使用を通して皮膚係合部材から浸出するので、十分な使用により、潤滑材料内の異なる色の領域が浸出する。それに応じて潤滑材料内の異なる色の異なる層が露呈する可能性があり、または担体の一部が露呈する場合がある。皮膚係合表面に沿って開口部を調査することにより、ユーザーは、剃毛ユニット及び／または皮膚係合表面が有効期間に達したことの指標を提供される。一例として、潤滑材料は、インジゴチン、ＦＤ＆Ｃ  ＃２染料を用いて着色されるポリエチレンオキシド／ポリスチレンブレンドを含む場合があり、担体は、白色に着色されたナイロン及び／またはポリスチレンを含む場合がある。
【００４１】
ＶＩ．剃刀カートリッジ
本発明のいくつかの実施形態によれば、除毛カートリッジ（例えば、剃刀カートリッジまたは剃毛ヘッド）が提供され、該カートリッジは、ハウジングと、ハウジング内の少なくとも１つの除毛部材と、上文に記載される本発明による少なくとも１つの皮膚係合部材とを備える。皮膚係合部材（例えば、担体を介して）は、Ｌｏｃｔｉｔｅ  Ｓｕｐｅｒ  Ｂｏｎｄｅｒ  ４９９などの接着剤によって、機械的ロック機構によって、熱溶着によって、またはこれらの組み合わせによって、カートリッジに取り付けられてもよい。
【００４２】
有利には、少なくとも１つの除毛部材の外周の大部分（すなわち、少なくとも５０％）、又は少なくとも７５％、又は最高１００％は、１つ以上の担体（例えば、除毛部材の前方の１つの皮膚係合部材、及び除毛部材の後方の１つの皮膚係合部材）によって取り囲まれている場合がある。単一の担体は、１つ以上の除毛部材の少なくとも一部分を取り囲むために使用される場合があり、あるいは同じ担体内の複数の担体及び／または様々な組成物は、１つ以上の除毛部材の少なくとも一部分を取り囲むために使用される場合がある。本明細書で使用される場合、除毛部材の「周辺」とは、除毛部材（複数可）がその上に存在する、構造体の外周を意味する。例えば、マルチブレードの剃刀が使用される場合、周辺は、ブレードの箱の外縁の周りのリングになる。
【００４３】
少なくとも１つの皮膚係合部材は、少なくとも１つの除毛部材の少なくとも２つの側面を少なくとも部分的に取り囲み、好ましくは、部分的なリングを形成し、またはより更に好ましくは、少なくとも１つの除毛部材の全周囲を完全に取り囲む場合がある。上記に説明するように、少なくとも１つの皮膚係合部材は、単一の皮膚係合部材で形成することができ、または２つ以上の皮膚係合部材とすることができる。
【００４４】
皮膚係合部材（複数可）は、少なくとも１つの細長い刃の外周全体の周囲に２７０度のリング、または更には３６０度のリングを形成することができる。担体は、細長い刃に接触または直接隣接する必要はないが、細長い刃の周囲にリングを提供することによって、担体は、細長い刃の皮膚へのあらゆる接触の前及び直後に、潤滑材料を確実に皮膚上に付着させることができる。
【００４５】
剃刀カートリッジは、通常第１の末端部と第２の末端部との間に位置する１つ以上の細長い刃または除毛部材（例えば、ブレード）を備え、１つ以上の細長い刃は、第１の末端部に向かって延在する先端部を含む。例えば、米国特許第７，１６８，１７３号は、Ｔｈｅ  Ｇｉｌｌｅｔｔｅ  Ｃｏｍｐａｎｙから市販されており、複数のブレードを有する剃刀カートリッジを含む、Ｆｕｓｉｏｎ（登録商標）剃刀を概して記載する。追加的に、除毛カートリッジまたは剃刀カートリッジは、ガード並びに皮膚係合部材を含む場合がある。様々な剃刀カートリッジが本発明により使用可能である。フィン、ガード、及び／または剃毛補助剤を有する、及びこれらを有しない好適な剃刀カートリッジの非限定的な例としては、Ｆｕｓｉｏｎ（登録商標）、Ｖｅｎｕｓ（登録商標）の製品ラインの名の下にＴｈｅ  Ｇｉｌｌｅｔｔｅ  Ｃｏｍｐａｎｙによって販売されているもの、並びに米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されているものが挙げられる。当業者は、本発明の皮膚係合部材を、２枚、３枚、４枚、５枚、若しくはそれ以上のブレードを有するものを含む、任意の現在販売されているシステムまたは使い捨て剃刀と共に使用することができることを理解するであろう。
【００４６】
除毛部材は、皮膚からの毛髪の切断、引き抜き、または刈り取りに対応する構造体である。例えば、除毛部材は、１つ以上のブレード、脱毛組成物を皮膚及び毛髪上に塗布した後使用することができるスクレーピングエッジ、または脱毛（毛髪を毛包から引き抜く）のために使用することができる複数のピンセット部材であってもよい。
【００４７】
いくつかの実施形態では、少なくとも１つの皮膚係合部材は、剃毛プロセスの間に皮膚と接触するカートリッジの部分上の、除毛部材（複数可）の前方、間、及び／または後方に位置する。１つ以上の除毛部材の「前方」にある特徴部は、例えば、剃毛装置で処理される表面が除毛部材とあたる前にこの特徴部にあたるように位置付けられる。除毛部材の「後方」にある特徴部は、剃毛装置で処理される表面が除毛部材とあたった後にこの特徴部にあたるように位置付けられる。１つ以上の皮膚係合部材が剃毛装置上に提供される場合、皮膚係合部材は、物理的な形状／構造及び／または化学組成の点で同じ（同一）とすることができ、または異なることができる。
【００４８】
いくつかの実施形態では、カートリッジは、ユーザーの皮膚を係合するための少なくとも１つの細長い可撓性突出部を備えるガードを備える。少なくとも１つの可撓性突出部は、１つ以上の細長い刃（除毛部材）に対して概して平行な可撓性フィンを備える場合がある。前記少なくとも１つの可撓性突出部は、１つ以上の細長い刃に対して概して平行ではない少なくとも１つの部分を備える可撓性フィンを、追加的にまたは代替的に備える場合がある。好適なガードの非限定的な例としては、現在の剃刀のブレードに使用されるものが挙げられ、また、米国特許第７，６０７，２３０号及び同第７，０２４，７７６号（エラストマー性／可撓性フィンバーを開示）、同第２００８／００３４５９０号（湾曲したガードフィンを開示）、同第２００９／００４９６９５（Ａ１）号（上面と下面との間に延在する少なくとも１つの通路を形成するガードを有するエラストマー性ガードを開示）に開示されるものが挙げられる。いくつかの実施形態では、剃毛補助部材は、カートリッジ上でガードの後方及び除毛部材の前方に位置付けられる。別の実施形態では、皮膚係合部材は、カートリッジ上のガードの前方に位置付けられる。この実施形態は、ガードと接触する前に潤滑材料を供給するのに特に有用である可能性がある。
【００４９】
このカートリッジは、除毛経験に更なる潤滑を提供するために、追加的な潤滑材料（公知のまたは市販されている剃毛補助剤または潤滑ストリップなどの）を更に含む場合がある。この追加的な潤滑材料は、典型的には、非水溶性ポリマー及び水溶性ポリマーを含む。かかる剃毛補助剤または潤滑ストリップは、本発明による皮膚係合部材のリング内に位置付けられることができ、または皮膚係合部材リングの外側に位置付けられることができる。本明細書での使用に好適な、既知の潤滑材料の非限定的な例としては、米国特許第７，０６９，６５８号、同第６，９４４，９５２号、同第、６，５９４，９０４号、同第、６，３０２，７８５号、同第６，１８２，３６５号、同第Ｄ４２４，７４５号、同第６，１８５，８２２号、同第６，２９８，５５８号、及び同第５，１１３，５８５、並びに同第２００９／０２２３０５７号に記載されるような剃毛補助剤及び潤滑ストリップが挙げられる。
【００５０】
ＶＩＩ．除毛装置
本発明のいくつかの実施形態によれば、除毛装置（例えば、剃刀）が提供され、これは概して、本明細書において上述した本発明による除毛カートリッジ（例えば、剃刀カートリッジ）と、カートリッジに永久的にまたは着脱可能に取り付けられるハンドル（または把持部）と、を含む。除毛装置は、手動とすることができ、または電動とすることができ、湿式及び／または乾燥用途で用いることができる。除毛カートリッジは、交換可能であってよく、及び／または枢動可能にハンドルに（例えば、カートリッジ接続構造体を介して）接続され、そして次にハンドルに接続されるか、または独立して（例えば、永久的に固定して）ハンドルに接続されてよい。いくつかの実施形態では、カートリッジ接続構造体は、除毛カートリッジを解除可能に係合するための少なくとも１つのアームを含む。
【００５１】
ＶＩＩＩ．図の詳細
図１は、本発明の少なくとも一実施形態による除毛装置（１００）の側面図である。この装置は、第１の端部（７１０）及び第２の端部（７２０）を有する除毛カートリッジ（７００）を備え、該カートリッジは、ハンドル（２００）に動作可能に接続される。この実施例では、除毛カートリッジは、２つの細長い刃（例えば、ブレード）（４００）と、該２つの細長い刃の前方に位置する皮膚係合部材（３００）と、該２つの細長い刃の後方に位置する皮膚係合部材（３５０）と、を含む。更に、ガード（４００）が該皮膚係合部材の前方に提供される。任意の剃毛補助剤（５００）が該細長い刃の後方に提供される。
【００５２】
図２は、本発明の少なくとも一実施形態による別の除毛カートリッジの断面側面図である。２つの細長い刃（４００）が示され、これらは、ブレード内ガード（４１０）を有する剃刀のブレードとすることができる。この例では、第１の皮膚係合部材（３００）は、細長い刃の前方でかつガードの前方に位置し、ガードは、細長い刃と皮膚係合部材との間に位置する。ここでは、細長い刃の後方に位置する第２の皮膚係合部材（３５０）が更に示される。第１の皮膚係合部材及び第２の皮膚係合部材は、好ましくは、同じ皮膚係合部材の部品であるが、異なる別個の構造的要素とすることもできる。
【００５３】
図３は、除毛カートリッジ上に提供される、３つ以上の細長い刃を示し、例えば、３つ、４つ、または５つの細長い刃を含むことができる。この図には、開口部（３２０）を形成する担体（３１０）も示され、この開口部は、使用の間に潤滑材料（３３０）が皮膚上に分配されるようにする。この図では、ガードが第１の皮膚係合部材の前方に位置する。図４は、前方に位置するが、第１の皮膚係合部材（３００）に隣接していないガード（６００）、及び第２の皮膚係合部材（３５０）の後方に位置する従来の中実のポリマーの剃毛補助剤（５００）を示す。
【００５４】
図５は、図４に示すものと同様だがガードが付いていない除毛カートリッジの上面平面図である。図６は、第１の皮膚係合部材が、除毛カートリッジの最大横方向距離の少なくとも５０％である最大横方向距離を有する開口部（３２０）を形成する、除毛カートリッジの上面平面図である。図６は、細長い刃の後方に位置する、より小さい開口部（３５５）有する第２の皮膚係合部材も示す。更に、ガード（６００）が第１の皮膚係合部材の前方に位置する。
【００５５】
図７は、本発明による除毛カートリッジの上面平面図を示し、皮膚係合部材は、細長い刃を少なくとも部分的に取り囲む。ここでは、細長い刃の周囲に３６０リングを形成する皮膚係合部材が示されるが、部分的なリングもまた、本発明の範囲内とすることができる。図７では、開口部は、除毛カートリッジの周辺の周りに延設されていないが、所望する場合は、開口部を細長い刃の側面に沿って提供することもできる。開口部は、等間隔で離間されてもよい。所望により、フィン付きのガード（６００）も、皮膚係合部材及び除毛部材の前方に提供される。
【００５６】
図８は、本発明による、皮膚係合部材（３００）を有する別の除毛カートリッジの上面平面図を示す。この皮膚係合部材は、曲線状である少なくとも１つの部分を有する。この皮膚係合部材は、細長い刃（４００）の前方に位置するが、該刃の後方にも皮膚係合部材を提供することができる。更に、細長い刃の周りに少なくとも部分的なリングを形成するように、２つ以上のかかる湾曲した皮膚係合部材を使用することができる。
【００５７】
図９は、提供される２つの皮膚係合部材（３００）及び（３５０）を示し、これらは、同じ担体で形成することができ、または平面図で見ると接続されているように見える別個の担体から形成することができる。潤滑材料は、同一とすることができ、または異なるものとして、除毛カートリッジ上の位置に基づいて様々な潤滑材料を送達するように適合することができる。
【００５８】
図１０〜図１５ｂは、本発明による皮膚係合部材の様々な側面断面図である。図１０は、潤滑材料をその中に配置することができる受容領域（３１５）を形成する担体（３１０）を示す。図１１及び図１２は、担体の側壁が開口部（３２０）を形成するように成形され得る、皮膚係合部材の２つの追加的な側面断面図を示す。図１３ａ及び図１３ｂは、潤滑材料（３３０）が使用により摩耗して減ってゆく、同一の担体（３１０）を示す。図１４ａ及び図１４ｂは、担体が、担体の基部から離れる方向に延在する少なくとも１つの保持部材（３５０）を形成する、２つの皮膚係合部材を示す。図１５ａ及び図１５ｂは、担体（３１０）内に分離した層を形成する第１の潤滑材料（３３１）及び第２の潤滑材料（３３２）を有する２つの皮膚係合部材を示す。これらの層は、隣接することができ、または所望する場合、保持部材によって分離することができる。図１５ａに示される層状の潤滑材料は、スロットコーティングを繰り返し適用することによって、または別々に成形してから層を形成し、圧縮若しくは加熱して共に成形することによって生成することができる。これらの層は、第１の潤滑材料のスロットコーティングと、その後のその上への第２の潤滑材料の成形との混合によって作製することもできる。潤滑材料が図１５ｂのように並んだ層を形成する場合、これらの層は、開口部が２つあるダイを介した共押出成形によって形成することができ、またはスロットコータに開口部が２つあるダイを使用することにより形成することができる。潤滑材料の複数の層が使用される場合、これら層は、芳香剤、着色剤、またはメントール等のスキンケア活性剤などの１つ以上の成分を変更するだけで、類似とすることができる。更に、第１の層と第２の層とのより大きな相違を用いることもできる。例えば、第１の層は、皮膚軟化剤及び構造化ポリマーを含むことができ、第２の層は、非水溶性ポリマーを有する水溶性ポリマーを含むことができる。
【００５９】
ＩＸ．製造方法
皮膚係合部材は、多様な方法により製造することができる。皮膚係合部材を作製する好適な方法の非限定的な例としては、潤滑材料を担体の中にまたは上にスロットコーティングすること、担体及び潤滑材料を二重押出成形すること、担体と潤滑材料とを、別々に成形及び／または押出成形し、次いで組み立てること等が挙げられる。皮膚係合部材は、担体を製作し（例えば、射出成形によって）、次いで、例えば、ラムを用い、かつ熱をかけ若しくはかけずに、潤滑材料を担体内／上に圧迫するか、または例えば、担体内に粉末形態で流し込んで担体内に潤滑材料を超音波締固めすることによって作製される場合がある。皮膚係合部材は、共押出成形（すなわち、２つ以上の開口部を有する単一の押出ダイを介し、押し出すと同時に押出成型品を互いに融合し溶着する）、２色成形／２成分成形（すなわち、先ず担体または潤滑材料がある形状に成形され、次いで担体若しくは潤滑材料のもう一方を成形するためにこれを使用することができる）、または担体及び潤滑材料を別個に押出成形または成形し、次いで同一のプロセス内の下流の工程において、若しくは別のプロセス／場所において組み立てることによって、製作される場合がある。作製方法及び皮膚係合部材組成物の好適な実施例は、米国特許第６，２９８，５８８号、８〜１０欄に提供されている。共押出成形または別々に成形／押出成形し、次に組み立てる方法の非限定的な例は、米国特許第７，１２１，７５４号及び同第６，２９８，５５８号に提供される。上記に説明したように、皮膚係合部材は、スキンケア組成物を担体に接触させる前または後に、非線形部分を含むように変形させることができる。
【００６０】
Ｘ．除毛の方法（特に剃毛）
本発明の除毛カートリッジ（特に剃刀カートリッジ）、または除毛装置（特に剃刀）は、除毛（特に剃毛）のために、または除毛（特に剃毛）方法において使用される場合があり、この方法は、本発明による任意の形態の除毛カートリッジ（特に剃刀カートリッジ）または除毛装置（特に剃刀）を提供する工程と、これを身体の表面上で通過させる工程と、を含む。所望による追加的な工程として、表面を湿らせる工程と、表面を洗浄する工程と、様々な一般的に既知の剃毛剤のうちの１つを表面に塗布する工程と（前述のオプションは、典型的には、除毛／剃刀カートリッジまたは除毛装置／剃刀を表面上を通過させる前に行われる）、表面をすすぐ工程と（これは、除毛／剃刀カートリッジまたは除毛装置／剃刀を表面上を通過させる前及び／または通過させた後に行われる）、表面を乾燥させる工程と、様々な一般的に既知の剃毛後組成物のうちの１つを表面に塗布する工程と（最後の２つの工程は、典型的には除毛／剃刀カートリッジまたは除毛装置／剃刀を表面上を通過させた後に行われる）、を含んでもよい。
【実施例】
【００６１】
皮膚接触表面の長さの約７５％（及び剃毛のために露出されたブレードの長さの約９０％）を超えて延在する単一の開口部を有する皮膚係合部材は、ポリフェニレンオキシドとポリスチレンとのブレンド（「Ｎｏｒｙｌ」という商品名で入手可能）から担体を射出成形することによって製作された。下記の表の潤滑材料は、以下に提供される実施例のいずれかに従って単に成分を混合し、担体内に１５０ｍｇを挿入し、Ｉｎｓｔｒｏｎで利用可能なフォースゲージ付きのラムを使用して、５ｍｍ／分で１５００Ｎの最大力で圧密することによって作製された。
【００６２】
【表１】
2016522706.tif 000003
*  ５，０００，０００の平均分子量
【００６３】
実施例の皮膚係合部材（物理的に同一）のそれぞれを上に取り付けた一般的な剃刀カートリッジの摩擦係数（測定同士の間で一貫した設計）を、７．５ｃｍ（３インチ）×１７ｃｍ（６．５インチ）の寸法を有するポリウレタン皮膚模倣体に対して、２０００ｇ／ｃｍ2水平ロードセルを取り付けたＤｉａ−ｓｔｒｏｎ  ＭＴＴ１７５測定器上で測定した。皮膚模倣体は、２７℃の温度まで温められ、下向きに３００ｇの力（質量と同等）がかけられた。剃刀カートリッジ（剃毛補助部材を含む）は、５５℃の温度の水に浸され、１ｍＬの水（これも５５℃に温められた）が、測定の前に湿らせるために皮膚模倣体に適用された。Ｄｉａ−ｓｔｒｏｎ測定器とともに供給されたＵｖＷｉｎソフトウェアパッケージ（ｖ．１．２４．００００）を、剃刀カートリッジを用いた、３回重なるように続いて行われた、１００ｍｍ長さのストロークを１５００ｍｍ／分の速さで実行するために使用し、剃刀カートリッジがストロークとストロークの間で移動するときに決して皮膚模倣体に接触しないようにした。５回のストロークの後、皮膚模倣体を装置から取り外し、高温の水で洗浄し、手でこすって清浄にし、紙タオルで拭い、再度すすいだ後、次の試料のために装置に再設置した。摩擦係数は、ストロークの中間部の７０ｍｍの長さ（すなわち、ストロークに沿って１５ｍｍからストロークに沿って８５ｍｍまで）に基づいて、それぞれのストロークに対して算出された。
【００６４】
それぞれの実施例に対して、合計５つの剃毛補助部材から結果を得るために、この手順が繰り返された。５つのストロークのそれぞれに対する結果（５つの剃毛補助部材の平均）が下記のグラフに示される。
【００６５】
【表２】
2016522706.tif 000004
【００６６】
データは、ポリエチレンオキシドとポリプロピレンオキシドとのコポリマーの存在が、試験された実施例によって提供される摩擦係数を低減することを明らかに示している。
【００６７】
本明細書で使用される場合、分子量（ｍｏｌ．ｗｔ．ｓ）は、統一原子質量単位、ダルトン、またはｇ／ｍｏｌで提供される。
【００６８】
本明細書を通して与えられるあらゆる最大の数値限界は、あらゆるより小さい数値限界を、あたかもかかるより小さい数値限界が本明細書に明示的に記載されているかのように含むことを理解すべきである。本明細書を通して与えられるあらゆる最小数値限界は、あらゆるより大きい数値限界を、あたかもかかるより大きい数値限界が本明細書に明示的に記載されているかのように含む。本明細書を通して与えられるあらゆる数値範囲は、かかるより広い数値範囲内にあるあらゆるより狭い数値範囲を、あたかもより狭い数値範囲が本明細書にすべて明示的に記載されているかのように含む。
【００６９】
特に指定のない限り、本明細書、実施例、及び特許請求の範囲において、本明細書のすべての部、比、及び百分率は、重量基準であり、すべての数値限定は、当該分野により提供される通常の程度の精度で使用される。
【００７０】
本明細書に開示した寸法及び値は、記載された正確な数値に厳密に限定されるものと理解するべきではない。むしろ、特に指定のない限り、それぞれのかかる寸法は、記載された値と、その値の周辺の機能的に同等の範囲との両方を意味することを意図する。例えば、「４０ｍｍ」と開示された寸法は、「約４０ｍｍ」を意味することを意図する。
【００７１】
「発明を実施するための形態」で引用されたすべての文献は、その関連部分において、参照により本明細書に組み込まれ、いずれの文献の引用も、こうした引用が本発明の先行技術であることを容認すると解釈すべきではない。本文書における用語のいずれかの意味または定義が、参照によって組み込まれる文書におけるいずれかの意味または定義と対立する限りにおいて、本文書においてその用語に与えられた意味または定義を優先するものとする。特に記載のない限り、冠詞「ａ」、「ａｎ」、及び「ｔｈｅ」は、「１つ以上」を意味する。
【００７２】
本発明の特定の実施形態が例示され記載されてきたが、本発明の趣旨及び範囲から逸脱することなく他の様々な変更及び修正をなすことができることが当業者には自明であろう。したがって、本発明の範囲内にあるすべてのかかる変更及び修正を添付の特許請求の範囲に包含することが意図される。
【図１】
2016522706.tif 000005
【図２】
2016522706.tif 000006
【図３】
2016522706.tif 000007
【図４】
2016522706.tif 000008
【図５】
2016522706.tif 000009
【図６】
2016522706.tif 000010
【図７】
2016522706.tif 000011
【図８】
2016522706.tif 000012
【図９】
2016522706.tif 000013
【図１０】
2016522706.tif 000014
【図１１】
2016522706.tif 000015
【図１２】
2016522706.tif 000016
【図１３ａ】
2016522706.tif 000017
【図１３ｂ】
2016522706.tif 000018
【図１４ａ】
2016522706.tif 000019
【図１４ｂ】
2016522706.tif 000020
【図１５ａ】
2016522706.tif 000021
【図１５ｂ】
2016522706.tif 000022
【国際調査報告】
2016522706.tif 000023
2016522706.tif 000024
2016522706.tif 000025